(57)【要約】【課題】メカスッチを設けることなく、またバッテリーに余分な端子及びサーミスタを設けることなく、充電装置のバッテリー装着部にバッテリーが装着されたかどうかを検知できるようにすることを目的とする。【解決手段】バッテリー装着部８にバッテリー２の正極端子２ａ及び負極端子２ｂに接続する正極用充電端子１ａ及び負極用充電端子１ｂを設けると共にこのバッテリー装着部８にこのバッテリー２が装着されたときに充電動作を制御するようにした制御マイクロコンピュータ６を設けた充電装置において、このバッテリー装着部８のこの正極用充電端子１ａ又はこの負極用充電端子１ｂに近接してスイッチ用端子１ｄを設け、このバッテリー装着部８にこのバッテリー２を装着したときにこのバッテリー２の正極端子２ａ又は負極端子２ｂでこの正極用充電端子１ａ又はこの負極用充電端子１ｂとスイッチ用端子１ｄとを短絡することによりこの制御マイクロコンピュータ６がこのバッテリー２の装着を検知するようにしたものである【選択図】図１
2007159292.tif 000002
【特許請求の範囲】
【請求項１】
バッテリー装着部にバッテリーの正極端子及び負極端子に接続する正極用充電端子及び負極用充電端子を設けると共に前記バッテリー装着部に前記バッテリーが装着されたときに充電動作を制御するようにした制御マイクロコンピュータを設けた充電装置において、
前記バッテリー装着部の前記正極用充電端子又は前記負極用充電端子に近接してスイッチ用端子を設け、前記バッテリー装着部に前記バッテリーを装着したときに前記バッテリーの正極端子又は負極端子で前記正極用充電端子又は前記負極用充電端子とスイッチ用端子とを短絡することにより前記制御マイクロコンピュータが前記バッテリーの装着を検知するようにしたことを特徴とする充電装置。
【請求項２】
バッテリー装着部にバッテリーの正極端子及び負極端子に接続する正極用充電端子及び負極用充電端子を設けると共に前記バッテリー装着部に前記バッテリーが装着されたときに充電動作を制御するようにした制御マイクロコンピュータを設けた充電装置において、
前記バッテリー装着部の前記正極用充電端子又は前記負極用充電端子に近接してスイッチ用端子を設け、該スイッチ用端子をスッチング用トランジスタの制御電極に接続し、前記スッチング用トランジスタの一方の被制御電極を電源端子に接続すると共に前記制御マイクロコンピュータのバッテリー有無検出端子に接続し、前記スッチング用トランジスタの他方の被制御電極を接地するようにし、前記バッテリー装着部に前記バッテリーを装着したときに前記バッテリーの正極端子又は負極端子で前記正極用充電端子又は前記負極用充電端子とスイッチ用端子とを短絡するようにしたことを特徴とする充電装置。
【請求項３】
請求項１又は２記載の充電装置において、
前記バッテリーはバッテリーパック構成であることを特徴とする充電装置。
【請求項４】
請求項１又は２記載の充電装置において、
前記バッテリーの正極端子及び負極端子は平面形状であることを特徴とする充電装置。
【発明の詳細な説明】
【技術分野】
【０００１】
本発明は、制御マイクロコンピュータを用いて充電動作を制御するようにした充電装置に関する。
【背景技術】
【０００２】
一般に、制御マイクロコンピュータを用いて充電動作を制御するようにした充電装置が提案されている。この制御マイクロコンピュータを用いて充電動作を制御するようにした充電装置においては、この充電装置のバッテリー装着部にバッテリーが装着されたことを確認して、この制御マイクロコンピュータが充電動作の制御を行うようにしている。
【０００３】
従来、このバッテリー装着部にバッテリーが装着されたことを確認するのに、図３に示す如く、充電装置１のバッテリー装着部にバッテリー（二次電池）を構成するバッテリーパック２の正極端子２ａ及び負極端子２ｂに接続する正極用充電端子１ａ及び負極用充電端子１ｂを設けると共にこのバッテリーパック２をこのバッテリー装着部に装着し、このバッテリーパック２の正極端子２ａ及び負極端子２ｂが正極用充電端子１ａ及び負極用充電端子１ｂに夫々接続されたときに、このバッテリーパック２の筐体により可動接点を構成する操作子３ａが押圧され、一方及び他方の固定接点３ｂ及び３ｃを短絡するようになされたメカスッチ３を設けたものが提案されている。
【０００４】
この図３においては、正極用充電端子１ａに例えば４．２Ｖの充電電圧を供給すると共に負極用充電端子１ｂを接地する。また、このメカスッチ３の一方の固定接点３ｂを抵抗器４を介して、例えば３Ｖの直流電圧が供給される電源端子５に接続すると共にこの一方の固定接点３ｂを充電動作を制御する制御マイクロコンピュータ６のバッテリー有無検出端子６ａに接続し、このメカスッチ３の他方の固定接点３ｃを接地する。
【０００５】
この図３においては、バッテリーパック２が充電装置１のバッテリー装着部に装着されないときは、メカスッチ３はオフ（メカスッチ３の一方及び他方の固定接点３ｂ及び３ｃは短絡されない）であり、メカスッチ３の一方の固定接点３ｂは浮いた状態にあるので、制御マイクロコンピュータ６のバッテリー有無検出端子６ａには３Ｖの直流電圧が供給され、このときは制御マイクロコンピュータ６はバッテリーパック２が充電装置１のバッテリー装着部に装着されていないと判断し、充電動作の制御は行わない。
【０００６】
また、バッテリーパック２が充電装置１のバッテリー装着部に装着されたときは、メカスッチ３はオン（メカスッチ３の一方及び他方の固定接点３ｂ及び３ｃが短絡され）であり、メカスッチ３の一方の固定接点３ｂが接地されるので、制御マイクロコンピュータ６のバッテリー有無検出端子６ａには０Ｖが供給され、このときは制御マイクロコンピュータ６はバッテリーパック２が充電装置１のバッテリー装着部に装着されていると判断し、充電動作の制御を行う。
【０００７】
また、図４は、従来のバッテリー装着部にバッテリーが装着されたことを確認するようにした充電装置の他の例を示す。この図４につき説明するに、図４において図３に対応する部分には同一符号を付して、その詳細説明は省略する。
【０００８】
図４においては、充電装置１のバッテリー装着部にバッテリー（二次電池）を構成するバッテリーパック２の正極端子２ａ及び負極端子２ｂに接続する正極用充電端子１ａ及び負極用充電端子１ｂを設けると共に検出用端子１ｃを設ける。
【０００９】
この検出用端子１ｃを例えば１００ｋΩの抵抗器４を介して、例えば３Ｖの直流電圧が供給される電源端子５に接続すると共にこの検出用端子１ｃを充電動作を制御する制御マイクロコンピュータ６のバッテリー有無検出端子６ａに接続する。
【００１０】
この図４においては、正極用充電端子１ａに例えば４．２Ｖの充電電圧を供給すると共に負極用充電端子１ｂを接地する。
【００１１】
この図４例では、バッテリーパック２を充電装置１のバッテリー装着部に装着したときにこの検出用端子１ｃに接続する端子２ｃを設け、この端子２ｃと負極端子２ｂとの間に例えば１００ｋΩのサーミスタ７を接続する。
【００１２】
この図４例においては、バッテリーパック２が充電装置１のバッテリー装着部に装着されないときは、充電装置１の検出用端子１ｃは開放であるので、制御マイクロコンピュータ６のバッテリー有無検出端子６ａには３Ｖの直流電圧が供給され、このときは制御マイクロコンピュータ６はバッテリーパック２が充電装置１のバッテリー装着部に装着されていないと判断し、充電動作の制御は行わない。
【００１３】
また、バッテリーパック２が充電装置１のバッテリー装着部に装着されたときは、充電装置１の検出用端子１ｃとバッテリーパック２の端子２ｃとが接続され、検出用端子１ｃがサーミスタ７を介し、負極端子２ｂ及び負極用充電端子１ｂを介して接地されるので、制御マイクロコンピュータ６のバッテリー有無検出端子６ａには抵抗器４とサーミスタ７との分圧電圧の１.5Ｖが供給され、このときは、制御マイクロコンピュータ６はバッテリーパック２が充電装置１のバッテリー装着部に装着されていると判断し、充電動作の制御を行う。
【００１４】
また、特許文献１には、充電装置において、バッテリーの充電電圧を検出するのに正極用充電端子及び負極用充電端子の外に電池電圧読込端子を設けたものが開示されている。
【特許文献１】特開平９−２９４３３９号公報
【発明の開示】
【発明が解決しようとする課題】
【００１５】
然しながら、図３に示す従来例においては、充電装置１にメカスッチ３を別に設ける必要があり、部品点数及びコストが増大すると共にこのメカスッチ３の取付け箇所を設ける必要があり、充電装置１が制約を受ける不都合があった。
【００１６】
また、図４に示す従来例においては、バッテリーパック２に余分な端子２ｃを設けると共にサーミスタ７を内蔵する必要があり、使用するバッテリーパック２に制限があると共にその分バッテリーパック２が高価となる不都合があった。
【００１７】
本発明は、斯かる点に鑑み、メカスッチを設けることなく、またバッテリーに余分な端子及びサーミスタを設けることなく、充電装置のバッテリー装着部にバッテリーが装着されたかどうかを検知できるようにすることを目的とする。
【課題を解決するための手段】
【００１８】
本発明充電装置は、バッテリー装着部にバッテリーの正極端子及び負極端子に接続する正極用充電端子及び負極用充電端子を設けると共にこのバッテリー装着部にこのバッテリーが装着されたときに充電動作を制御するようにした制御マイクロコンピュータを設けた充電装置において、このバッテリー装着部のこの正極用充電端子又はこの負極用充電端子に近接してスイッチ用端子を設け、このバッテリー装着部にこのバッテリーを装着したときにこのバッテリーの正極端子又は負極端子でこの正極用充電端子又はこの負極用充電端子とスイッチ用端子とを短絡することによりこの制御マイクロコンピュータがこのバッテリーの装着を検知するようにしたものである。
【発明の効果】
【００１９】
本発明によれば、バッテリー装着部のこの正極用充電端子又はこの負極用充電端子に近接してスイッチ用端子を設け、このバッテリー装着部にこのバッテリーを装着したときにこのバッテリーの正極端子又は負極端子でこの正極用充電端子又はこの負極用充電端子とスイッチ用端子とを短絡することによりこの制御マイクロコンピュータがこのバッテリーの装着を検知するようにしたので、メカスッチを設けることなく、またバッテリーに余分な端子及びサーミスタを設けることなく、充電装置のバッテリー装着部にバッテリーが装着されたかどうかを検知できる。
【発明を実施するための最良の形態】
【００２０】
以下、図１及び図２を参照して、本発明充電装置を実施するための最良の形態の例につき説明する。この図１及び図２において、図３及び図４に対応する部分には同一符号を付して示す。
【００２１】
本例においては、図１及び図２に示す如く、充電装置１のバッテリー装着部８にバッテリー（二次電池）を構成するバッテリーパック２の正極端子２ａ及び負極端子２ｂに接続する正極用充電端子１ａ及び負極用充電端子１ｂを設けると共に本例においては、この正極用充電端子１ａに近接してスイッチ用端子１ｄを設ける。
【００２２】
この場合、本例においては、バッテリーパック２の正極端子２ａ及び負極端子２ｂの接触部を図２に示す如く、所定大きさの平面形状とすると共に充電装置１の正極用充電端子１ａ、負極用充電端子１ｂ及びスイッチ用端子１ｄを夫々図２に示す如く線バネで構成し、この正極用充電端子１ａとスイッチ用端子１ｄとの距離をバッテリーパック２をバッテリー装着部８に装着したときに図２に示す如くバッテリーパック２の正極端子２ａを同時に接触できる距離とする。
【００２３】
即ち、このバッテリーパック２を充電装置1のバッテリー装着部８に装着したときに図２に示す如く、この正極用充電端子１ａとスイッチ用端子１ｄとをバッテリーパック２の正極端子２ａで短絡する如くする。
【００２４】
尚、この充電装置１の正極用充電端子１ａ、負極用充電端子１ｂ及びスイッチ用端子１ｄは線バネでなく、板バネ等であっても良い。
【００２５】
本例においては、このスイッチ用端子１ｄを抵抗器１０を介してスッチング用のｎｐｎ形トランジスタ１１の制御電極であるベースに接続し、このスイッチング用トランジスタ１１の一方の被制御電極であるコレクタを抵抗器４を介して例えば３Ｖの直流電圧が供給される電源端子５に接続すると共にこのスイッチング用トランジスタ１１の一方の被制御電極であるコレクタを充電動作を制御する制御マイクロコンピュータ６のバッテリー有無検出端子６ａに接続する。また、このスイッチング用トランジスタ１１の他方の被制御電極であるエミッタを接地する。
【００２６】
また、本例においては、この充電装置１の正極用充電端子１ａに例えば４．２Ｖの充電電圧を供給すると共に負極用充電端子１ｂを接地する。その他は従来周知の充電装置と同様に構成する。
【００２７】
本例は上述の如く構成されているので、バッテリーパック２が充電装置１のバッテリー装着部８に装着されていないときは、充電装置１のスイッチ用端子１ｄは開放であるので、スイッチング用トランジスタ１１はオフであり、このスイッチング用トランジスタ１１のコレクタの電圧は３Ｖであり、制御マイクロコンピュータ６のバッテリー有無検出端子６ａには、この３Ｖの直流電圧が供給され、このときは制御マイクロコンピュータ６はバッテリーパック２が充電装置１のバッテリー装着部８に装着されていないと判断し、充電動作の制御は行わない。
【００２８】
また、バッテリーパック２が充電装置１のバッテリー装着部８に装着されたときは、図２に示す如く充電装置１の正極用充電端子１ａとスイッチ用端子１ｄとがバッテリーパック２の正極端子２ａに接触して短絡するので、スイッチング用トランジスタ１１のベースに正極用充電端子１ａの電圧例えば４．２Ｖ供給され、このスイッチング用トランジスタ１１はオンとなり、このスイッチング用トランジスタ１１のコレクタの電圧は略０Ｖとなり、制御マイクロコンピュータ６のバッテリー有無検出端子６ａには、この略０Ｖの電圧が供給され、このときは制御マイクロコンピュータ６はバッテリーパック２が充電装置１のバッテリー装着部８に装着されていると判断し、充電動作の制御は行う。
【００２９】
本例によれば、バッテリー装着部８の正極用充電端子１ａに近接してスイッチ用端子１ｄを設け、このバッテリー装着部８にバッテリーパック２を装着したときにこのバッテリーパック２の正極端子２ａでこの正極用充電端子１ａとスイッチ用端子１ｄとを短絡することによりこの制御マイクロコンピュータ６がこのバッテリーパック２の装着を検知するようにしたので、メカスッチ３を設けることなく、またバッテリーパック２に余分な端子２ｃ及びサーミスタ７を設けることなく、充電装置１のバッテリー装着部８にバッテリーパック２が装着されたことを検知することができる。
【００３０】
尚、上述例では、充電装置１の正極用充電端子１ａに近接してスイッチ用端子１ｄを設け例につき述べたが、この代わりに、負極用充電端子１ｂに近接してスイッチ用端子１ｄを設け、この負極用充電端子１ｂとスイッチ用端子１ｄとをバッテリーパック２の負極端子２ｂに接触して短絡するようにし、スイッチング用トランジスタとして極性の異なるトランジスタ（例えばｐｎｐ形トランジスタ）を使用するようにすれば、上述例同様の作用効果が得られることは容易に理解できよう。
【００３１】
また、本発明は上述例に限ることなく、本発明の要旨を逸脱することなく、その他種々の構成が採り得ることは勿論である。
【図面の簡単な説明】
【００３２】
【図１】本発明充電装置を実施するための最良の形態の例を示す構成図である。
【図２】本発明充電装置を実施するための最良の形態の例の要部の例を示す斜視図である。
【図３】従来の充電装置の例を示す構成図である。
【図４】従来の充電装置の他の例を示す構成図である。
【符号の説明】
【００３３】
１…充電装置、１ａ…正極用充電端子、１ｂ…負極用充電端子、１ｄ…スイッチ用端子、２…バッテリーパック、２ａ…正極端子、２ｂ…負極端子、４、１０…抵抗器、５…電源端子、６…制御マイクロコンピュータ、６ａ…バッテリー有無検出端子、８…バッテリー装着部、１１…スイッチング用トランジスタ
【図１】
2007159292.tif 000003
【図２】
2007159292.tif 000004
【図３】
2007159292.tif 000005
【図４】
2007159292.tif 000006